(57)【要約】【課題】各電気基板をコネクタ同士で直接接続する束線レスの画像形成装置において、組立て作業性及びメンテナンス性の向上を図れるようにする。【解決手段】制御電気基板２２と電気基板２５を、それぞれの基板に配置されたコネクタ２８、２９によって着脱自在に電気的に接続し、更に、電気基板２５を支持した第２の電気基板支持部材２１の引っ掛け用開口穴３２を移動自在に引っ掛け部３１に引っ掛けて着脱自在に係止して、第２の電気基板支持部材２１を矢印Ｂ方向に移動方向させてコネクタ２８、２９の接続を解除することにより、コネクタ２８、２９で接続された制御電気基板２２と電気基板２５各電気基板の両方を取り外すことなく、一方の電気基板２５のみを取り外すことができる。【選択図】      図２
2004219663.tif 000002
【特許請求の範囲】
【請求項１】
画像形成手段による画像形成動作を行うための複数の電気素子が実装された、少なくとも２つ以上の電気基板を有し、前記各電気基板同士を接続手段によって着脱自在に接続した画像形成装置において、
前記各電気基板は電気基板支持手段を介して装置本体に支持され、前記電気基板支持手段は前記接続手段の着脱方向に沿って一体に移動自在である、ことを特徴とする画像形成装置。
【請求項２】
画像形成手段による画像形成動作を行うための複数の電気素子が実装された、少なくとも２つ以上の電気基板を有し、前記各電気基板同士を接続手段によって着脱自在に接続した画像形成装置において、
前記各電気基板は電気基板支持手段を介して装置本体に支持され、前記電気基板支持手段は前記接続手段の着脱方向に移動自在であり、かつ前記電気基板支持手段は前記装置本体に支持された状態において回動自在である、ことを特徴とする画像形成装置。
【請求項３】
前記電気基板支持手段は、前記接続手段の接続が外れた状態において、前記装置本体に支持された状態を維持する、ことを特徴とする請求項１又は２に記載の画像形成装置。
【請求項４】
前記電気基板支持手段は、前記各電気基板同士を接続した前記接続手段の接続が外れた状態でのみ前記装置本体から着脱可能である、
ことを特徴とする請求項１又は２に記載の画像形成装置。
【請求項５】
前記電気基板支持手段は、前記各電気基板同士を接続した前記接続手段の接続が外れた状態でのみ前記装置本体に支持された状態で回動可能である、ことを特徴とする請求項４に記載の画像形成装置。
【請求項６】
前記電気基板支持手段は、前記装置本体に支持された状態で回動した後においてのみ前記装置本体から着脱可能である、ことを特徴とする請求項５に記載の画像形成装置。
【請求項７】
前記電気基板支持手段は、前記装置本体の背面側に配置されている、ことを特徴とする請求項１又は２に記載の画像形成装置。
【請求項８】
前記電気基板支持手段は、前記装置本体の背面側に取り付けられた外装部材のみ外すことによって露出される、ことを特徴とする請求項７に記載の画像形成装置。
【発明の詳細な説明】
【０００１】
【発明の属する技術分野】
本発明は、電子写真方式などによって画像形成を行う複写機、プリンタ、ファクシミリ等の画像形成装置に関し、特に画像形成手段による画像形成動作を行うための複数の電気素子が実装された、少なくとも２つ以上の電気基板を有し、各電気基板同士を接続手段によって着脱自在に接続した画像形成装置に関する。
【０００２】
【従来の技術】
電子写真方式を用いた複写機、プリンタ、ファクシミリ等の画像形成装置は、像担持体としての感光ドラム、感光ドラムを所定の極性・電位に帯電する帯電装置、帯電された感光ドラム上に静電潜像を形成する露光装置、静電潜像をトナーによりトナー像として顕像化する現像装置、トナー像を用紙などの転写材に転写する転写装置、トナー像を転写材上に定着させる定着装置などの画像形成手段を備えている。
【０００３】
このような画像形成装置では、上記画像形成手段を制御する電気部品や半導体素子などを実装した複数の電気基板が搭載されている。
【０００４】
これらの電気基板には、商用ＡＣ電源からのＡＣ入力電気基板、感光ドラム表面を帯電する帯電装置に高電圧を印加するための高電圧電源電気基板、感光ドラムなどを駆動する駆動モータ等を駆動するためのＤＣ電源電気基板、画像形成ユニットの駆動を制御するための制御電気基板等がある。また、前記各電気基板間は電気通電用の束線によって電気的に接続されているが、前記束線を用いた構成の電装配置では、束線がノイズの発生源となり、そのノイズによって周辺機器に誤動作等が発生するおそれがあった。
【０００５】
従来、この対応策の一つとして、前記電気基板上に設置されたそれぞれのコネクタを直接接続するといった、束線レスの接続方法が用いられている。
【０００６】
【発明が解決しようとする課題】
しかしながら、上記したコネクタ同士を直接接続する束線レスの接続方法では、電気基板同士を接続した後に装置本体へと組み付けるため、組立て時の作業性が悪かった。
【０００７】
また、従来では、電気基板同士が接続されているので駆動モータの交換や内部清掃といったメンテナンス時には、取り外しの必要のない電気基板も一旦取り外す必要があったので、この場合においても作業性が悪かった。更に、装置本体から電気基板を脱着する際において、電気基板間で接続されたコネクタに大きな負荷がかかることによって、コネクタが破損してしまうおそれがあった。
【０００８】
そこで本発明は、各電気基板をそのコネクタ同士で直接接続する束線レスの画像形成装置において、組立て作業性およびメンテナンス性の向上を図り、更に装置本体から電気基板を脱着する際においてもコネクタが破損するような負荷がかからないようにした画像形成装置を提供することを目的とする。
【０００９】
【課題を解決するための手段】
上記目的を達成するために本発明は、画像形成手段による画像形成動作を行うための複数の電気素子が実装された、少なくとも２つ以上の電気基板を有し、前記各電気基板同士を接続手段によって着脱自在に接続した画像形成装置において、前記各電気基板は電気基板支持手段を介して装置本体に支持され、前記電気基板支持手段は前記接続手段の着脱方向に沿って一体に移動自在であることを特徴としている。
【００１０】
また、画像形成手段による画像形成動作を行うための複数の電気素子が実装された、少なくとも２つ以上の電気基板を有し、前記各電気基板同士を接続手段によって着脱自在に接続した画像形成装置において、前記各電気基板は電気基板支持手段を介して装置本体に支持され、前記電気基板支持手段は前記接続手段の着脱方向に移動自在であり、かつ前記電気基板支持手段は前記装置本体に支持された状態において回動自在であることを特徴としている。
【００１１】
また、前記電気基板支持手段は、前記接続手段の接続が外れた状態において、前記装置本体に支持された状態を維持することを特徴としている。
【００１２】
また、前記電気基板支持手段は、前記各電気基板同士を接続した前記接続手段の接続が外れた状態でのみ前記装置本体から着脱可能であることを特徴としている。
【００１３】
また、前記電気基板支持手段は、前記各電気基板同士を接続した前記接続手段の接続が外れた状態でのみ前記装置本体に支持された状態で回動可能であることを特徴としている。
【００１４】
また、前記電気基板支持手段は、前記装置本体に支持された状態で回動した後においてのみ前記装置本体から着脱可能であることを特徴としている。
【００１５】
また、前記電気基板支持手段は、前記装置本体の背面側に配置されていることを特徴としている。
【００１６】
また、前記電気基板支持手段は、前記装置本体の背面側に取り付けられた外装部材のみ外すことによって露出されることを特徴としている。
【００１７】
【発明の実施の形態】
以下、本発明を図示の実施の形態に基づいて説明する。
【００１８】
〈実施の形態１〉
図１は、本発明の実施の形態１に係る画像形成装置（本実施の形態では、電子写真方式でデジタル方式のレーザビームプリンタ等のフルカラー画像形成装置）を示す概略構成図である。
【００１９】
本画像形成装置５０の画像形成装置本体７内には、像担持体としての感光ドラム１が回転自在に配置されている。感光ドラム１の周囲には、感光ドラム１の回転方向（矢印ａ方向）に沿って感光ドラム１の表面を一様に帯電する帯電ローラ２、入力される画像信号に基づいて感光ドラム１をレーザ光４による露光によって静電潜像を形成する露光装置３、感光ドラム１上の静電潜像にトナーを付着させて現像する現像装置６、感光ドラム１上に形成されたトナー像が１次転写されるドラム状の中間転写ドラム８、感光ドラム１上に残留した残留トナーを除去・回収するドラムクリーニング装置９が配置されている。また、中間転写ドラム８と２次転写ローラ１３とが当接する２次転写部Ｍの転写材搬送方向下流側には、加熱ローラ１４ａと加圧ローラ１４ｂとで構成される定着装置１４が設置されている。
【００２０】
感光ドラム１は、本実施の形態では円筒状の導電性基体（例えば、外径５０ｍｍのアルミニウム製のシリンダー等）上に有機感光体からなる感光層を形成して構成されており、駆動装置（不図示）によって矢印ａ方向（反時計方向）に所定の周速度で回転する。
【００２１】
現像装置６は、回転自在に支持された回転支持装置６ａに設けられたイエロー現像器６Ｙ、マゼンタ現像器６Ｍ、シアン現像器６Ｃと、固定配置されたブラック現像器６Ｂとで構成されている。イエロー現像器６Ｙ、マゼンタ現像器６Ｍ、シアン現像器６Ｃには、それぞれイエロートナー、マゼンタトナー、シアントナーが収納されており、ブラック現像器６Ｂには、ブラックトナーが収納されている。回転支持装置６ａは、矢印ｂ方向（時計方向）へ回転可能に支持されており、イエロー現像器６Ｙ、マゼンタ現像器６Ｍ、シアン現像器６Ｃが順次感光ドラム１に対向して各色トナーによる現像が行われるように、現像位置に回転移動する。
【００２２】
次に、上記した画像形成装置のフルカラー画像形成動作について説明する。
【００２３】
画像形成時には、感光ドラム１は駆動装置（不図示）により所定のプロセススピードで回転駆動され、帯電バイアス電源（不図示）から所定の帯電バイアスが印加された帯電ローラ２により、所定の極性・電位に均一に帯電される。
【００２４】
そして、帯電された感光ドラム１上に露光装置３によりレーザ光４による露光走査が与えられて、目的のカラー画像の第１色目のトナー像（本実施の形態ではイエロートナー像）に対応した静電潜像が形成される。そして、現像バイアス（交番電圧）が印加されたイエロー現像器６Ｙの現像スリーブにより、この静電潜像がイエロートナーにより現像され、顕像化される。
【００２５】
そして、感光ドラム１上に形成担持された第１色目のイエロートナー像は、中間転写ドラム８との間の１次転写部Ｎを通過する過程で、この１次転写部Ｎでの圧力と、１次転写バイアス電源（不図示）より印加されるトナーの帯電極性とは逆極性（正極性）の１次転写バイアスにより形成される電界とによって、中間転写ドラム８の外周面に１次転写されていく。中間転写ドラム８上にイエロートナー像が１次転写された後に、中間転写ドラム８に１次転写されないで感光ドラム１上に残った１次転写残トナーは、ドラムクリーニング装置９のクリーニングブレード９ａによって除去され、回収される。
【００２６】
以下、回転支持装置６ａの回転移動により同様にして、マゼンタ現像器６Ｍ、シアン現像器６Ｃにより感光ドラム１上にそれぞれ形成担持された第２色目のマゼンタトナー像、第３色目のシアントナー像を順次中間転写体６上に重畳転写する。そして更に、現像バイアス（交番電圧）が印加されたブラック現像器６Ｂの現像スリーブにより、感光ドラム１上に形成担持された第４色目のブラックトナー像が中間転写ドラム８上に重畳転写され、目的のカラー画像に対応したフルカラートナー像が形成される。
【００２７】
そして、２次転写ローラ１３を中間転写ドラム８に加圧して２次転写部Ｍを形成し、中間転写ドラム８上のフルカラー画像の先端と同期させて、カセット１１から紙などの転写材Ｐを給送ローラ１２ａ及び搬送ローラ１２ｂなどにより一枚ずつ２次転写部Ｍに搬送する。この際、２次転写バイアス電源（不図示）から２次転写ローラ１３へトナーの帯電極性とは逆極性（正極性）の２次転写バイアスが印加され、中間転写ドラム８から転写材Ｐ上にフルカラートナー像が一括転写（２次転写）される。
【００２８】
そして、フルカラーのトナー像が転写された転写材Ｐは定着装置１４に搬送されて、定着装置１４の定着ローラ１４ａと加圧ローラ１４ｂ間の定着ニップ部で挟持搬送され、定着ローラ１４ａと加圧ローラ１４ｂ間の定着ニップ部でフルカラーのトナー画像が加熱、加圧されて転写材Ｐ上に定着された後、排出トレイ１５に排出される。なお、中間転写ドラム８上に２次転写されずに残った２次転写残トナーは、中間転写体クリーニング部材１０によって除去される。
【００２９】
また、白黒画像（ブラック単色画像）を出力する場合には、ブラック現像器６Ｂにより感光ドラム１上に形成したブラックトナー像を中間転写ドラム８上に１次転写した後に転写材Ｐ上に２次転写することによって、ブラック単色画像を得ることができる。
【００３０】
上記した画像形成装置５０内には、感光ドラム１、帯電ローラ２、露光装置３、現像装置６、中間転写ドラム８、定着装置１４などの画像形成ユニットを制御する電気部品や半導体素子などを実装した複数の電気基板が搭載されている。これらの電気基板同士は、それぞれコネクタを介して直接接続される束線レスの接続構造であり、各電気基板は電気基板支持部材に支持されている。
【００３１】
以下、本実施の形態における電気基板支持部材の装置本体に対する支持構造を、図２、図３を参照して説明する。
【００３２】
図２、図３に示すように、装置本体７内の背面側には、第１の電気基板支持部材２０と第２の電気基板支持部材２１が横並びに配置されており、第１の電気基板支持部材２０には、上記した画像形成ユニットの各回路の駆動を制御するための制御電気基板（コントローラ基板）２２、画像を処理する際に必要なデータが収められる記録媒体（ハードディスク）２３、装置外部の機器とデータの交信をするための電気基板２４などが支持されている。また、第２の電気基板支持部材２１にも、上記した画像形成ユニットの各回路の駆動を制御するための電気基板２５などが支持されている。第２の電気基板支持部材２１の背面側には、上記した画像形成ユニットを駆動するための駆動モータ２７等が配置されている。
【００３３】
装置本体７にビス止めされている第１、第２の電気基板支持部材２０、２１には、その外側に外装部材２６がビス止めで支持されており、ビス（不図示）を外すことによって外装部材２６を簡単に装置本体７の外に取り出すことができる。よって、外装部材２６を外すだけで第１、第２の電気基板支持部材２０、２１にアクセスすることができるため、メンテナンス時の作業性が向上する。
【００３４】
制御電気基板２２と電気基板２５は、それぞれの基板に配置されたコネクタ２８とコネクタ２９によって着脱自在に電気的に接続されている。よって、制御電気基板２２と電気基板２５間を接続するための電気通電用コードを廃止することができ、ノイズ対策にかかっていたコストを削減することが可能となる。コネクタ２８とコネクタ２９の着脱方向は、図２、図３に示した矢印Ａ方向であり、制御電気基板２２と電気基板２５の外側に配置した外装部材２６に対して略平行方向である。
【００３５】
また、第２の電気基板支持部材２１の装置本体の背面側の端面には、２つの引っ掛け用開口穴３２が形成されており、この引っ掛け用開口穴３２に装置本体側に形成した引っ掛け部３１を入れて、第２の電気基板支持部材２１を装置本体に着脱自在に係止している。
【００３６】
第２の電気基板支持部材２１の引っ掛け用開口穴３２は、第２の電気基板支持部材２１がその外側に配置した外装部材２６に対して平行方向にのみ移動可能なように長穴状に形成されている。即ち、第２の電気基板支持部材２１は、係合する引っ掛け部３１に対して引っ掛け用開口穴３２の長穴方向にのみ移動可能であり、第２の電気基板支持部材２１の移動方向（矢印Ｂ方向）は、コネクタ２８、２９の着脱方向（矢印Ａ方向）に対応している。
【００３７】
更に、第２の電気基板支持部材２１の引っ掛け用開口穴３２は、コネクタ２８、２９同士が接続されている状態では、引っ掛け用開口穴３２から取り外しできないようにロック部（不図示）を有している。これにより、コネクタ２８、２９同士が接続されている状態では、引っ掛け用開口穴３２に引っ掛け部３１が入った状態で第２の電気基板支持部材２１が装置本体に係止されており、第２の電気基板支持部材２１を矢印Ｂ方向に移動方向させてコネクタ２８、２９同士の接続が解除されると、引っ掛け用開口穴３２から引っ掛け部３１を外すことが可能となり、第２の電気基板支持部材２１を装置本体から外すことができる。
【００３８】
このように、第２の電気基板支持部材２１を、コネクタ２８、２９の着脱方向に移動させることが可能となるので、第２の電気基板支持部材２１を矢印Ｂ方向に移動させると共に、コネクタ２８、２９を外すことによって、第１の電気基板支持部材２０を取り外すことなく、第２の電気基板支持部材２１と一体に電気基板２５を取り外すことができる。これにより、第２の電気基板支持部材２１の背面側に位置している駆動モータ２７の交換や清掃などのメンテナンスを行う場合に、コネクタ２８、２９によって接続された第１の電気基板支持部材２０側を取り外すことなく、アクセスが可能となる。よって、メンテナンスの作業性を大幅に高めることができる。
【００３９】
〈実施の形態２〉
図４は、本発明の実施の形態２に係る画像形成装置の電気基板支持部材の装置本体に対する支持構造を示す概略構成図である。なお、図１〜図３に示した実施の形態１の画像形成装置と同一部材には同一符号を付し、重複する説明は省略する。
【００４０】
以下、本実施の形態における電気基板支持部材の装置本体に対する支持構造について説明する。
【００４１】
本実施の形態では、図２、図３に示した実施の形態１と同様に、電気基板２５を支持した第２の電気基板支持部材２１はコネクタ２８、２９の脱着される方向（矢印Ａ方向）に移動可能であり、更に、コネクタ２９と反対側の側端に設けた回動支持部３３を中心として回動可能に構成されている。また、第２の電気基板支持部材２１はコネクタ２８、２９同士が接続された状態では回動せず、第２の電気基板支持部材２１を移動させてコネクタ２８、２９を外した状態で回動するように構成されている。
【００４２】
即ち、図５〜図７に示すように、回動支持部３３は、一端側が第２の電気基板支持部材２１に固着された回動支持板３５と、回動支持板３５に形成した長穴３５ａに移動自在に挿通されている引っ掛け部３４を有している。第２の電気基板支持部材２１は、回動支持板３５の長穴３５ａに挿通された引っ掛け部３４を回動中心にして回動自在であり、かつ長穴３５ａの範囲だけ移動自在である。また、長穴３５ａの長手方向は、コネクタ２８、２９の着脱方向に対応している。
【００４３】
そして、回動支持板３５の先端側には回動規制部３５ｂが形成されており、この回動規制部３５ｂが装置本体に設けた係止部材３７の端面３７ａに接している状態では、第２の電気基板支持部材２１は着脱方向である長穴３５ａの長手方向のみ移動可能であり、第２の電気基板支持部材２１を移動させてコネクタ２８、２９の接続が外れると、回動規制部３５ｂが係止部材３７の端面３７ａから外れ、回動規制部３５ｂが係止部材３７に形成した開口部３７ｂに入ることによって、第２の電気基板支持部材２１は引っ掛け部３４を回動中心にして回動するように構成されている。
【００４４】
これにより、第２の電気基板支持部材２１よりも装置本体内部に設置されている駆動モータ２７等のメンテナンスを行ったり、装置本体内部を清掃したりするような場合に、第２の電気基板支持部材２１を装置本体から外すことなく回動支持部材３３を中心として外側に回動させるだけで済み、メンテナンスの作業性を更に高めることができる。
【００４５】
更に、本実施の形態では、コネクタ２８、２９同士が接続された状態では第２の電気基板支持部材２１は回動しないように構成されているので、この状態で第２の電気基板支持部材２１を誤って回動させようとしても回動しないので、コネクタ２８、２９が破損することはない。
【００４６】
〈実施の形態３〉
図８〜図１０は、本実施の形態における回動支持部３３を示す概略斜視図である。なお、回動支持部３３の構成以外は実施の形態１、２の画像形成装置と同様であり、本実施の形態では回動支持部３３の構成についてのみ説明する。
【００４７】
本実施の形態における回動支持部３３は、一端側が第２の電気基板支持部材２１に固着された回動支持板４１を有している。回動支持板４１には、円形状の回動用穴４１ａと、この回動用穴４１ａと連通するように形成したスリット状の移動用穴４１ｂが形成されており、回動支持板４１の回動用穴４１ａと移動用穴４１ｂには、装置本体に設けた係止部材４０の突片状の引っ掛け部４０ａが挿通されている。第２の電気基板支持部材２１は、移動用穴４１ｂの移動範囲だけ移動自在であり、かつ回動支持板４１の回動用穴４１ａに挿通された引っ掛け部４０ａを回動中心にして回動自在である。また、移動用穴４１ｂの長手方向は、コネクタ２８、２９の着脱方向に対応している。
【００４８】
そして、第２の電気基板支持部材２１を移動用穴４１ｂの長手方向に移動させることによってコネクタ２８、２９の接続が外れると、引っ掛け部４０ａが回動支持板４１の回動用穴４１ａに入ることにより、第２の電気基板支持部材２１は係止部材４０の引っ掛け部４０ａを回動中心にして回動するように構成されている。
【００４９】
これにより、第２の電気基板支持部材２１よりも装置本体内部に設置されている駆動モータ２７等のメンテナンスを行ったり、装置本体内部を清掃したりするような場合に、第２の電気基板支持部材２１を装置本体から外すことなく回動支持部材３３を中心として外側に回動させるだけで済み、メンテナンスの作業性を更に高めることができる。
【００５０】
更に、本実施の形態では、コネクタ２８、２９同士が接続された状態では第２の電気基板支持部材２１は回動しないように構成されているので、この状態で第２の電気基板支持部材２１を誤って回動させようとしても回動しないので、コネクタ２８、２９が破損することはない。
【００５１】
〈実施の形態４〉
図１１〜図１３は、本実施の形態における回動支持部３３を示す概略斜視図である。なお、回動支持部３３の構成以外は実施の形態１、２の画像形成装置と同様であり、本実施の形態では回動支持部３３の構成についてのみ説明する。
【００５２】
本実施の形態における回動支持部３３は、一端側が第２の電気基板支持部材２１にビス止めされた回動支持板４２を有している。回動支持板４２には、回動用凹部４２ａと移動用開口穴４２ｂが形成されており、回動支持板４２の移動用開口穴４２ｂには、装置本体に設けた係止部材４３の突片状の引っ掛け部４３ａが挿通されている。引っ掛け部４３ａには、回動支持板４２の板厚よりも少し広い幅の溝部４３ｂが形成されており、この溝部４３ｂが移動用開口穴４２ｂの上部に嵌っている。第２の電気基板支持部材２１は、溝部４３ｂが移動用開口穴４２ｂの上部に嵌った状態で移動用開口穴４２ｂの移動範囲だけ移動自在であり、かつ回動支持板４２の回動用凹部４２ａに入る引っ掛け部４３ａを回動中心にして回動自在である。また、移動用開口穴４２ｂによる係止部材４３の溝部４３ｂの移動方向は、コネクタ２８、２９の着脱方向に対応している。
【００５３】
そして、第２の電気基板支持部材２１を移動させることによってコネクタ２８、２９の接続が外れると、引っ掛け部４３ａが移動用開口穴４２ｂの回動用凹部４２ａに入ることにより、第２の電気基板支持部材２１は係止部材４３の引っ掛け部４３ａを回動中心にして回動するように構成されている。
【００５４】
これにより、第２の電気基板支持部材２１よりも装置本体内部に設置されている駆動モータ２７等のメンテナンスを行ったり、装置本体内部を清掃したりするような場合に、第２の電気基板支持部材２１を装置本体から外すことなく係止部材４３の引っ掛け部４３ａを中心として外側に回動させるだけで済み、メンテナンスの作業性を更に高めることができる。
【００５５】
更に、本実施の形態では、コネクタ２８、２９同士が接続された状態では第２の電気基板支持部材２１は回動しないように構成されているので、この状態で第２の電気基板支持部材２１を誤って回動させようとしても回動しないので、コネクタ２８、２９が破損することはない。
【００５６】
〈実施の形態５〉
図１４〜図１６は、本実施の形態における回動支持部３３を示す概略斜視図である。なお、回動支持部３３の構成以外は実施の形態１、２の画像形成装置と同様であり、本実施の形態では回動支持部３３の構成についてのみ説明する。
【００５７】
本実施の形態における回動支持部３３は、第２の電気基板支持部材２１に固着された回動支持板４４を有している。回動支持板４４の他端側は回転軸４５に固着されている。装置本体に設けた係止部材４６のスリット状の移動用穴４６ａと回動用開口穴４６ｂには、回動支持板４４が挿通されている。移動用穴４６ａと回動用開口穴４６ｂは連通している。第２の電気基板支持部材２１は、係止部材４６の移動用穴４６ａから回動用開口穴４６ｂまでの移動範囲だけ移動自在であり、かつ回動支持板４４の回動用開口穴４６ｂにて回転軸４５を回動中心にして回動自在である。また、移動用穴４６ａの長手方向は、コネクタ２８、２９の着脱方向に対応している。
【００５８】
そして、第２の電気基板支持部材２１（回動支持板４４）を移動用穴４６ａの長手方向に移動させることによってコネクタ２８、２９の接続が外れると、回動支持板４４が係止部材４６の回動用開口穴４６ｂに入ることにより、第２の電気基板支持部材２１は回転軸４５を回動中心にして回動するように構成されている。
【００５９】
これにより、第２の電気基板支持部材２１よりも装置本体内部に設置されている駆動モータ２７等のメンテナンスを行ったり、装置本体内部を清掃したりするような場合に、第２の電気基板支持部材２１を装置本体から外すことなく回動支持部３３を中心として外側に回動させるだけで済み、メンテナンスの作業性を更に高めることができる。
【００６０】
更に、本実施の形態では、コネクタ２８、２９同士が接続された状態では第２の電気基板支持部材２１は回動しないように構成されているので、この状態で第２の電気基板支持部材２１を誤って回動させようとしても回動しないので、コネクタ２８、２９が破損することはない。
【００６１】
【発明の効果】
以上説明したように請求項１に記載の発明によれば、各電気基板を装置本体に支持した電気基板支持手段が、各電気基板同士を接続した接続手段の着脱方向に沿って一体に移動自在であるので、電気基板支持手段を接続手段の着脱方向に沿って一体に移動させると共に、接続手段を外すことによって、接続手段で接続された各電気基板の両方を取り外すことなく、一方の電気基板のみを取り外すことができる。これにより、一方の電気基板側の内側に配置されている部材に対して交換や清掃などのメンテナンスを行う場合に、接続手段で接続されたすべての電気基板を取り外すことなくアクセスが可能となり、メンテナンスの作業性を大幅に高めることができる。
【００６２】
また、請求項２に記載の発明によれば、各電気基板を装置本体に支持した電気基板支持手段が、各電気基板同士を接続した接続手段の着脱方向に沿って移動自在であり、かつ電気基板支持手段が装置本体に支持された状態において回動自在なので、電気基板支持手段を接続手段の着脱方向に沿って移動させると共に、接続手段を外すことによって、一方の電気基板のみを電気基板支持手段で装置本体に支持した状態で回動させることができる。これにより、一方の電気基板側の内側に配置されている部材に対して交換や清掃などのメンテナンスを行う場合に、一方の電気基板のみを電気基板支持手段で装置本体に支持した状態で回動させることによってアクセスが可能となり、メンテナンスの作業性を大幅に高めることができる。
【図面の簡単な説明】
【図１】本発明の実施の形態１〜５に係る画像形成装置を示す概略構成図。
【図２】本発明の実施の形態１に係る画像形成装置の電気基板支持部材の装置本体に対する支持構造を示す概略斜視図。
【図３】本発明の実施の形態１に係る画像形成装置の電気基板支持部材の装置本体に対する支持構造を示す概略平面図。
【図４】本発明の実施の形態２に係る画像形成装置の電気基板支持部材の装置本体に対する支持構造を示す概略平面図。
【図５】本発明の実施の形態２に係る画像形成装置における回動支持部を示す概略斜視図。
【図６】本発明の実施の形態２に係る画像形成装置における回動支持部を示す概略斜視図。
【図７】本発明の実施の形態２に係る画像形成装置における回動支持部を示す概略斜視図。
【図８】本発明の実施の形態３に係る画像形成装置における回動支持部を示す概略斜視図。
【図９】本発明の実施の形態３に係る画像形成装置における回動支持部を示す概略斜視図。
【図１０】本発明の実施の形態３に係る画像形成装置における回動支持部を示す概略斜視図。
【図１１】本発明の実施の形態４に係る画像形成装置における回動支持部を示す概略斜視図。
【図１２】本発明の実施の形態４に係る画像形成装置における回動支持部を示す概略斜視図。
【図１３】本発明の実施の形態４に係る画像形成装置における回動支持部を示す概略斜視図。
【図１４】本発明の実施の形態５に係る画像形成装置における回動支持部を示す概略斜視図。
【図１５】本発明の実施の形態５に係る画像形成装置における回動支持部を示す概略斜視図。
【図１６】本発明の実施の形態５に係る画像形成装置における回動支持部を示す概略斜視図。
【符号の説明】
１        感光ドラム
２        帯電ローラ
３        露光装置
６        現像装置
７        装置本体
８        中間転写ドラム
１４      定着装置
２０      第１の電気基板支持部材
２１      第２の電気基板支持部材
２２      制御電気基板
２３      記録媒体
２４、２５      電気基板
２８、２９      コネクタ
３１      引っ掛け部
３２      引っ掛け用開口穴
３３      回動支持部
３４、４０ａ      引っ掛け部
３５、４１、４２、４４      回動支持板
３５ａ    長穴
３７、４０、４３、４６      係止部材
４１ａ    回動用穴
４１ｂ    移動用穴
４２ａ    回動用凹部
４２ｂ、４６ａ    移動用開口穴
４３ａ    引っ掛け部
４６ｂ    回動用開口穴
【図１】
2004219663.tif 000003
【図２】
2004219663.tif 000004
【図３】
2004219663.tif 000005
【図４】
2004219663.tif 000006
【図５】
2004219663.tif 000007
【図６】
2004219663.tif 000008
【図７】
2004219663.tif 000009
【図８】
2004219663.tif 000010
【図９】
2004219663.tif 000011
【図１０】
2004219663.tif 000012
【図１１】
2004219663.tif 000013
【図１２】
2004219663.tif 000014
【図１３】
2004219663.tif 000015
【図１４】
2004219663.tif 000016
【図１５】
2004219663.tif 000017
【図１６】
2004219663.tif 000018